(57)【特許請求の範囲】
【請求項１】
短尺のリーダマストに昇降動自在に装着された駆動部に長尺の掘削ロッドを該駆動部を上下方向に貫通して上方に延出させ、この掘削ロッドの上部に該ロッド内に設けられた薬液流通孔を通じて薬液を供給するスイベル装置を備えた掘削機において、前記スイベル装置の固定側部材の側方に反力受アームを延設し、この反力受アームにワイヤの一端を接続して垂下させるとともに前記駆動部に前記ワイヤの途中部をチャックするワイヤチャック装置を設けたことを特徴とする掘削機におけるスイベル装置の共回り防止装置。
【発明の詳細な説明】
【０００１】
【発明の属する技術分野】
本発明は薬液供給用のスイベル装置を備えた掘削機に係り、特にスイベル装置の共回り防止装置に関する。
【０００２】
【従来の技術】
従来から、短尺のリーダマストに昇降動自在に装着された駆動部に長尺の掘削ロッドを該駆動部を上下方向に貫通して上方に延出させ、この掘削ロッドの上方部に該ロッド内に設けられた薬液流通孔を通じて地中に薬液を供給するためのスイベル装置を備えた掘削機がある。
【０００３】
上記のようなスイベル装置を備える掘削機においては、掘削ロッドの回転に対しスイベル装置の外側の固定側部材が共回りしないようにするための共回り防止手段が設けられている。
【０００４】
従来の上記共回り防止手段は、例えば特開平５−２３９９８３号公報に記載のものがある。この公報に記載の装置は、スイベル装置の固定側部材にその両側方に延びる横木部材を取付け、この横木部材の両端に結着した各ワイヤの他端を結合部を介して作業車両（ベースマシン）に搭載の張力付与ドラム装置（ウインチ）に巻回するようにし、左右のワイヤに緊張を与えることによって横木部材を介しスイベル装置の固定側部材の回り止めをなさしめるように構成されている。
【０００５】
【発明が解決しようとする課題】
しかして上記従来の装置では、作業の状況により左右のワイヤの張力が変動するので常に両ワイヤにテンションを付与しておかなければならず、そのため張力付与手段等を付設することが必須となって装置自体が大掛りなものとならざるを得ないうえ、スイベル装置の両側に横木部材が大きく張出すと同時に左右のワイヤが存在することになるので、狭隘な作業現場における施工、特に敷地のコーナー部での施工時に著しく支障をきたすという問題点がある。
【０００６】
【課題を解決するための手段】
本発明は、簡単な構造によりスイベル装置の共回りを防止することができ、また側方へ張出す部材を要することなく共回りを防止し得て、狭隘な現場であっても支障なく使用することを可能とするもので、スイベル装置の固定側部材の側方に反力受アームを延設し、この反力受アームにワイヤの一端を接続して垂下させるとともに前記駆動部に前記ワイヤの途中部をチャックするワイヤチャック装置を設けたことにある。
【０００７】
【発明の実施の形態】
以下、本発明を図面に示す実施の形態を参照して説明する。
【０００８】
図１は掘削機全体の概要を示すもので、自走可能なベースマシン１の支持部に短尺のリーダマスト２の下端が軸３により支持され、その上方位置とベースマシン１とは油圧シリンダ４により連結されていて垂直姿勢または前・後傾姿勢に支持することができるようになされており、このリーダマスト２の前面側の上下方向に設けられたガイドレール５にそって駆動部６がワイヤ７により昇降自在に装着されている。
【０００９】
前記駆動部６には断面角形状の掘削ロッド８が上下に貫通して上方に延出されており、駆動部６に搭載の油圧モータ９により周知のように回転伝達機構を通じて掘削ロッド８に回転を与えるとともにロック自在とされている。また掘削ロッド８の下方部はベースマシン１にチャック装置１０により保持され、掘削ロッド８の下端には掘削ヘッド１１が設けられており、その上方位置には撹拌翼１２が設けられている場合を示している。
【００１０】
前記掘削ロッド８内にはセメントミルク等の薬液を通すための薬液流通孔１３が設けられ、掘削ロッド８の下端の掘削ヘッド１１部分から掘削地盤中に薬液を噴出供給するようになされている。
【００１１】
前記掘削ロッド８の上端には、前記薬液流通孔１３へ薬液を供給するための回転継手構造のスイベル装置１４が設けられ、ベースマシン１または地上に設置される薬液供給源（図示省略）に連通する薬液供給用ホース１５，１５がリーダマスト２の上端のホース受１６を経由してスイベル装置１４の固定側部材１４ａに接続されている。図示の場合は、２液を供給するため２本のホース１５，１５とされている。
【００１２】
前記スイベル装置１４の固定側部材１４ａには、図２に拡大して示し図３に図２の平面図を示すように反力受アーム１７が水平方向に突設されている。なおこの反力受アーム１７の突出方向は、図１では便宜上掘削機の前方に向けて突出しているように画かれているが、実際には掘削機の側方に向けて突出されるものである。したがって図２は掘削機の正面より見た図となる。
【００１３】
前記反力受アーム１７の先端にはホースガイド１８，１９があって、これらにホース１５，１５を通すことによりホース１５，１５は反力受アーム１７の先端を経由して下方に垂下される。また反力受アーム１７の先端よりやや後退した位置にはワイヤ取付部２０があって、これにワイヤ２１が連結具２２を介して連結され、前記ホース１５，１５に沿うようにして下方に垂下されており、このワイヤ２１の下端はベースマシン１に導かれてその適所に固定されている。
【００１４】
前記駆動部６には、前記ワイヤ２１の途中部をチャックしてワイヤ２１の上方部の緊張状態を保つためのワイヤチャック装置２３が設けられている。このワイヤチャック装置２３は、図５に一部を縦断した正面を、図６に要部の水平断面を示すように、駆動部６に一端がボルト等により固着される支持板２４の先端に保持体２５が設けられ、この保持体２５には前記ワイヤ２１を上下方向に挿通する筒体２６があって、この筒体２６の中心線を挟むように前記保持体２６に固定ピース２７と可動ピース２８が設けられており、この可動ピース２８は前記保持体２５に支持された油圧シリンダ２９のロッド２９ａに圧縮バネ３０を介して連結され、油圧シリンダ２９の作動により固定ピース２７と可動ピース２８との各挟持面２７ａ，２８ａ間でワイヤ２１を挟圧保持するようになっている。
【００１５】
次に上記実施形態の作用を説明する。
【００１６】
掘削作業に際し掘削ロッド８の上下位置を定めたのちワイヤチャック装置２３の油圧シリンダ２９を作動させて可動ピース２８を前進させ、固定ピース２７と可動ピース２８とでワイヤ２１を挟着保持する。これにより駆動部６より上方のワイヤ２１は緊張した状態におかれ、これにより反力受アーム１７は水平面内での振れが止められ、スイベル装置１４の固定側部材１４ａが回転しようとする力が抑えられてその共回りが防がれる。
【００１７】
こうして駆動部６の油圧モータ９を駆動して掘削ロッド８を回転させ、駆動部６を遂次下降させることにより掘削ヘッド１１による地盤の掘削が行われる一方、薬液供給用ホース１５，１５からスイベル装置１４を通じて掘削ロッド８内の薬液流通孔１３へ薬液（２液）が供給され、掘削ロッド８の下端から地中に噴射されて撹拌翼１２により土砂と撹拌される。
【００１８】
駆動部６が地表に近ずく位置まで下降したら、下部チャック装置１０により掘削ロッド８を保持させ、次いで駆動部６による掘削ロッド８の挟持を解くとともにワイヤチャック装置２３の油圧シリンダ２９によるワイヤ２１の挟持を解いて駆動部６をワイヤ７により上昇させる。
【００１９】
駆動部６が所定の高さ位置に上昇したのちワイヤチャック装置２３により再びワイヤ２１を挟着し、上記と同様の工程により２ストローク目の作業に入る。
【００２０】
【発明の効果】
以上説明したように本発明によれば、掘削ロッドの上端に設けられる薬液供給用のスイベル装置の固定側部材の一側方に反力受アームを突設し、このアームに一端を接続したワイヤを駆動部に付設したワイヤチャック装置によりワイヤの上方を緊張状態に保持することによって前記反力受アームの旋回を拘束し、これによりスイベル装置の共回りを防ぐようにしたので、掘削機から部材を大きく張出すことなくしかも簡単な構成によりスイベル装置の共回りを防止することができ、本来の掘削作業にも何ら支障をきたすことがなく、かつ安価に得ることができる。
【図面の簡単な説明】
【図１】本発明の一実施形態の概要を示す側面図。
【図２】図１における掘削ロッドの上部の拡大図。
【図３】図２の薬液供給用ホースを除去した平面図。
【図４】図１における駆動部およびワイヤチャック装置部分を正規の状態として示す図１のＡ−Ａ矢視図。
【図５】ワイヤチャック装置の一例を示す一部を断面とした正面図。
【図６】同、水平断面図。
【符号の説明】
１  ベースマシン
２  リーダマスト
６  駆動部
８  掘削ロッド
１０  掘削ロッドチャック装置
１１  掘削ヘッド
１３  薬液流通孔
１４  スイベル装置
１４ａ  スイベル装置の固定側部材
１５  薬液供給用ホース
１６  ホース受
１７  反力受アーム
２１  ワイヤ
２３  ワイヤチャック装置
２４  支持板
２５  保持体
２６  筒体
２７  固定ピース
２８  可動ピース
２９  油圧シリンダ
【図１】
0003803157.tif 000002
【図２】
0003803157.tif 000003
【図３】
0003803157.tif 000004
【図４】
0003803157.tif 000005
【図５】
0003803157.tif 000006
【図６】
0003803157.tif 000007